(57)【要約】    【課題】  測定器具等の特別な器具を使用することなく体調を簡単にかつ低コストで検出することができる体調検出装置及び方法を提供する。    【解決手段】  所定の警報を所定の時刻に発生する警報発生手段と、警報発生手段による所定の警報の発生直後における操作部に対する操作を検出する操作検出手段と、操作検出手段による操作検出結果に応じて互いに異なる体調を示す複数の体調データのうちのいずれか１を選択してこれを生体の体調とする選択制御手段と、を備えた。【選択図】  図１
2005177306.tif 000002
【特許請求の範囲】
【請求項１】
生体の体調を検出する体調検出装置であって、
所定の警報を所定の時刻に発生する警報発生手段と、
前記警報発生手段による前記所定の警報の発生直後における操作部に対する操作を検出する操作検出手段と、
前記操作検出手段による操作検出結果に応じて互いに異なる体調を示す複数の体調データのうちのいずれか１を選択してこれを前記生体の体調とする選択制御手段と、を備えたことを特徴とする体調検出装置。
【請求項２】
前記警報発生手段は、前記所定の警報として目覚まし音を発生する目覚まし音発生手段と、
前記目覚まし音の発生時刻を前記所定の時刻として設定する時刻を設定する時刻設定手段と、
前記時刻設定手段によって設定された時刻になったときに前記目覚まし音発生手段に前記目覚まし音を発生させるアラーム制御手段と、を備え、
前記操作部は、前記目覚まし音を停止させるための目覚まし音停止スイッチからなることを特徴とする請求項１記載の体調検出装置。
【請求項３】
前記選択制御手段は、前記警報発生手段による前記所定の警報の発生時点から前記操作検出手段による前記操作部に対する操作検出時点までの時間を反応時間として検出する時間検出手段と、
前記複数の体調データを記憶した記憶手段と、
前記時間検出手段によって検出された反応時間に基づいて前記記憶手段に記憶された前記複数の体調データうちのいずれか１を選択する選択手段と、を備えたことを特徴とする請求項１記載の体調検出装置。
【請求項４】
前記選択手段は、前記時間検出手段によって今回検出された反応時間と、前記時間検出手段によって前回までに検出された反応時間の平均値との比又は差に応じて前記記憶手段に記憶された前記複数の体調データうちのいずれか１を選択することを特徴とする請求項３記載の体調検出装置。
【請求項５】
前記選択手段は、前記時間検出手段によって今回検出された反応時間と、前記時間検出手段によって前回までに検出された反応時間の中位値との比又は差に応じて前記記憶手段に記憶された前記複数の体調データうちのいずれか１を選択することを特徴とする請求項３記載の体調検出装置。
【請求項６】
前記選択手段は、前記時間検出手段によって今回検出された反応時間と、前記時間検出手段によって前回までに検出された反応時間の頻度のうちの最多頻度の反応時間との比又は差に応じて前記記憶手段に記憶された前記複数の体調データうちのいずれか１を選択することを特徴とする請求項３記載の体調検出装置。
【請求項７】
前記記憶手段には、前記比又は差と前記複数の体調データとのデータテーブルが形成されていることを特徴とする請求項４乃至６のいずれか１記載の体調検出装置。
【請求項８】
前記選択手段は、前記時間検出手段によって前回までに検出された反応時間をデータとして記憶するデータ記憶手段を有することを特徴とする請求項４乃至６のいずれか１記載の体調検出装置。
【請求項９】
前記操作検出手段は、前記操作部に対する操作圧力を検出することを特徴とする請求項１記載の体調検出装置。
【請求項１０】
前記操作部は、各々が異なる体調具合に対応した複数のスイッチからなり、
前記操作検出手段は、前記複数のスイッチのうちの操作された１のスイッチを検出することを特徴とする請求項１記載の体調検出装置。
【請求項１１】
前記選択制御手段によって選択された１の体調データが示す体調についての表示を行う表示手段を有することを特徴とする請求項１記載の体調検出装置。
【請求項１２】
生体の体調を検出する体調検出方法であって、
所定の警報を所定の時刻に発生し、
前記所定の警報の発生直後における操作部に対する操作を検出し、
その操作検出結果に応じて互いに異なる体調を示す複数の体調データのうちのいずれか１を選択してこれを前記生体の体調とすることを特徴とする体調検出方法。
【発明の詳細な説明】
【技術分野】
【０００１】
本発明は、生体の体調を検出する体調検出装置及び方法に関する。
【背景技術】
【０００２】
生体の体調は毎日、時々刻々と変化する。体調は、人間の場合、中枢神経系や自律神経系、体性神経系等の末梢神経系の活動によって変化する。従来、体調を検出する方法としては様々な方法が提案されている。例えば、体温、脈拍、体重や血圧等の生体パラメータを測定してその測定結果に基づいて体調を判断する方法が試みられている。
【０００３】
しかしながら、従来の体調検出方法においては、上記の生体パラメータを測定するための特別な測定器具が必要となり、また体調検出装置として構成すると高価になるという問題もあった。
【発明の開示】
【発明が解決しようとする課題】
【０００４】
本発明が解決しようとする課題には、上記の欠点が一例として挙げられ、測定器具等の特別な器具を使用することなく生体の体調を簡単にかつ低コストで検出することができる体調検出装置及び方法を提供することが本発明の目的である。
【課題を解決するための手段】
【０００５】
請求項１に係る発明の体調検出装置は、生体の体調を検出する体調検出装置であって、所定の警報を所定の時刻に発生する警報発生手段と、前記警報発生手段による前記所定の警報の発生直後における操作部に対する操作を検出する操作検出手段と、前記操作検出手段による操作検出結果に応じて互いに異なる体調を示す複数の体調データのうちのいずれか１を選択してこれを前記生体の体調とする選択制御手段と、を備えたことを特徴としている。
【０００６】
請求項１２に係る発明の体調検出方法は、生体の体調を検出する体調検出方法であって、所定の警報を所定の時刻に発生し、前記所定の警報の発生直後における操作部に対する操作を検出し、その操作検出結果に応じて互いに異なる体調を示す複数の体調データのうちのいずれか１を選択してこれを前記生体の体調とすることを特徴としている。
【発明を実施するための最良の形態】
【０００７】
以下、本発明の実施例を図面を参照しつつ詳細に説明する。
【０００８】
図１は本発明による体調検出装置を示している。この体調検出装置は、アラームクロックとしての機能を備え、目覚まし用のアラーム発生部１、アラーム停止スイッチ２、アラーム時刻設定部３、データ記憶部４、表示部５及びコントローラ６を備えている。アラーム発生部１、アラーム停止スイッチ２、アラーム時刻設定部３、データ記憶部４及び表示部５の各々は、コントローラ６に接続されている。
【０００９】
アラーム発生部１は、例えば、ブザーからなり、コントローラ６からの指令に応じて警報音、すなわち目覚まし音を発生する。アラーム停止スイッチ２は、アラーム発生部１によって目覚まし音が発せられたときにその目覚まし音を停止させるためにユーザが操作するスイッチである。アラーム停止スイッチ２は、そのユーザ操作に応じてアラーム停止操作信号をコントローラ６に供給する。
【００１０】
アラーム時刻設定部３は、アラーム発生部１に目覚まし音を発生させるアラーム発生時刻をユーザの操作に応じて設定する。アラーム時刻設定部３において設定されたアラーム発生時刻はデータとしてコントローラ６に供給される。
【００１１】
データ記憶部４は、アラーム発生時刻、後述の反応時間等のデータをコントローラ６からの指令に応じて記憶する。表示部５はコントローラ６からの指令に応じてアラーム発生時刻、体調検出結果等のデータを表示する。
【００１２】
コントローラ６は、内部のクロック発生器（図示せず）から発生されるクロックを計測してタイマー（時計）を形成し、アラーム発生時刻になると、アラーム発生部１に対してアラーム発生指令を発生する。すなわち、タイマーの時刻とアラーム発生時刻とを比較し、タイマーの時刻とアラーム発生時刻とが一致したことを検出すると、アラーム発生指令を発生する。アラーム発生指令はアラーム発生部１に供給され、アラーム発生部１はアラーム発生指令に応答して目覚まし音を発生する。
【００１３】
コントローラ６は、アラーム発生指令を発生すると、体調検出動作を行う。体調検出動作では、図２に示すように先ず、タイマーの時刻に応じて反応時間の計測を開始する（ステップＳ１）。反応時間は目覚まし音の発生に対してユーザがアラーム停止スイッチ２を操作するまでの時間である。よって、コントローラ６は、反応時間の計測を開始した後、アラーム停止スイッチ２が操作されたか否かを判別する（ステップＳ２）。アラーム停止スイッチ２は、上記したように、ユーザによつて操作されると、アラーム停止操作信号をコントローラ６に供給するので、コントローラ６はアラーム停止操作信号が供給されると、ユーザがアラーム停止スイッチ２を操作したと判断する。アラーム停止スイッチ２の操作を判断すると、反応時間の計測を終了し（ステップＳ３）、その計測終了時点の反応時間を今回の反応時間としてデータ記憶部４に記憶させる（ステップＳ４）。コントローラ６はデータ記憶部４に既に記憶された前回までの反応時間を読み出し（ステップＳ５）、今回の反応時間と前回までの反応時間の平均時間との比ａを算出する（ステップＳ６）。すなわち、ａ＝今回の反応時間／過去の平均反応時間である。
【００１４】
コントローラ６は、比ａに対応するユーザの体調をデータテーブルを用いて決定する（ステップＳ７）。データテーブルは例えば、データ記憶部４に予め記憶されており、データテーブルでは、比ａの値の範囲に対応してユーザの体調が体調データとして定められている。すなわち、図３に示すように、ａ＜０．５の場合が絶好調、０．５≦ａ＜０．８の場合が快調、０．８≦ａ＜１．４の場合が普通、１．４≦ａ＜２．０の場合が不調、ａ≧２．０の場合が絶不調である。よって、ステップＳ７では、比ａがどの範囲に属するかが判別され、その判別結果に応じてユーザの体調が決定される。ステップＳ７の体調決定結果を表示部５に表示させる（ステップＳ８）。表示部５には、例えば、「絶好調」と表示される。
【００１５】
このように、目覚まし音に対するユーザの反応時間を検出することにより、ユーザの体調を簡単に検出し、その体調検出結果をユーザに提供することができる。
【００１６】
なお、上記した実施例においては、過去の平均反応時間を用いているが、単に今回の反応時間だけに応じてユーザの体調を簡単に検出しても良い。すなわち、今回の反応時間が短いほど体調が良いと判断しても良い。
【００１７】
また、上記した実施例においては、ステップＳ６にて今回の反応時間と前回までの反応時間の平均時間とを用いて比ａが算出されているが、今回の反応時間と前回までの反応時間の中位値（メディアン）とを用いて比ａを算出しても良い。また、図４に示すように、前回までの反応時間のヒストグラムのうちの最多頻度の反応時間を検出し（ステップＳ１１）、今回の反応時間と前回までの最多頻度の反応時間との比ａを算出する（ステップＳ１２）。その後、ステップＳ７に進んでも良い。
【００１８】
更に、上記した実施例においては、ステップＳ６にて今回の反応時間と前回までの反応時間の平均時間との比ａが算出されるが、今回の反応時間と前回までの反応時間の平均時間との差に応じてユーザの体調を検出しても良い。すなわち、図５に示すように、ステップＳ５にてデータ記憶部４に既に記憶された前回までの反応時間を読み出した後、今回の反応時間と前回までの反応時間の平均時間との差ｂを算出し（ステップＳ１６）、差ｂに対応するユーザの体調をデータテーブルを用いて決定する（ステップＳ１７）。
【００１９】
また、同様に、今回の反応時間と前回までの最多頻度の反応時間と差、或いは今回の反応時間と前回までの反応時間の中位値との差に応じてユーザの体調を検出しても良い。
【００２０】
図６は本発明の他の実施例として体調検出装置を示している。図６の体調検出装置においては、３つのアラーム停止スイッチ１１〜１３が備えられている。第１アラーム停止スイッチ１１は目覚まし音を直ぐ停止させるためのスイッチである。図１の体調検出装置のアラーム停止スイッチ２に対応する。第２アラーム停止スイッチ１２は目覚まし音を一旦停止させた後、５分後に目覚まし音を再度発生させるためのスイッチであり、第３アラーム停止スイッチ１３は目覚まし音を一旦停止させた後、３０分後に目覚まし音を再度発生させるためのスイッチである。その他の構成は、図１の体調検出装置と同様にであり、図６には同一の符号を用いて示している。
【００２１】
図６の体調検出装置においてもコントローラ６は、アラーム発生指令の発生後に、体調検出動作を開始する。この体調検出動作においては、図７に示すように、アラーム停止スイッチ１１〜１３のうちのいずれか１のスイッチが操作されたか否かを判別する（ステップＳ２１）。ステップＳ２１においていずれか１のスイッチの操作を検出すると、その１のスイッチに対応するユーザの体調をデータテーブルを用いて決定する（ステップＳ２２）。例えば、第１アラーム停止スイッチ１１が操作された場合には好調、第２アラーム停止スイッチ１２が操作された場合には普通、第３アラーム停止スイッチ１３が操作された場合には不調と決定される。ステップＳ２２の体調決定結果を表示部５に表示させる（ステップＳ２３）。
【００２２】
図８は本発明の他の実施例として体調検出装置を示している。図８の体調検出装置においては、アラーム停止スイッチ２の操作圧力を検出する圧力検出センサ２１が備えられている。アラーム停止スイッチ２は押しボタン式のスイッチであり、圧力検出センサ２１はアラーム停止スイッチ２の押しボタンに加わる押圧を検出する。その他の構成は、図１の体調検出装置と同様であり、図８には同一の符号を用いて示している。
【００２３】
図８の体調検出装置においてもコントローラ６は、アラーム発生指令の発生後に、体調検出動作を開始する。この体調検出動作においては、図９に示すように、アラーム発生指令時に圧力検出センサ２１から出力された圧力データを読み取り（ステップＳ３１）、その圧力データに対応するユーザの体調をデータテーブルを用いて決定する（ステップＳ３２）。例えば、データテーブルには圧力値の範囲毎に体調が設定されており、圧力検出センサ２１からの圧力データが高圧力を示すほど体調は好調と決定される。ステップＳ３２の体調決定結果を表示部５に表示させる（ステップＳ３３）。
【００２４】
上記した各実施例においては、所定の警報が目覚まし音である場合について説明したが、所定の警報は目覚まし音等のアラーム音に限らず、アラーム表示であっても良い。
【００２５】
以上のように、本発明によれば、所定の警報を所定の時刻に発生する警報発生手段と、警報発生手段による所定の警報の発生直後における操作部に対する操作を検出する操作検出手段と、操作検出手段による操作検出結果に応じて互いに異なる体調を示す複数の体調データのうちのいずれか１を選択してこれを生体の体調とする選択制御手段とを備えたので、測定器具等の特別な器具を使用することなく体調を簡単にかつ低コストで検出することができる。
【００２６】
更に、本発明の体調検出装置は目覚まし時計、ユーザとの対話型のコミュニケーション装置、アラーム機能付きの携帯電話機やＰＤＡに適用することができる。また、本発明の体調検出方法はコンピュータのプログラムで実行させることができる。
【図面の簡単な説明】
【００２７】
【図１】本発明の実施例を示すブロック図である。
【図２】図１の装置中のコントローラによる体調検出動作を示すフローチャートである。
【図３】図１の装置中のデータ記憶部に記憶されたデータテーブルを示す図である。
【図４】本発明の他の実施例としてコントローラによる体調検出動作を示すフローチャートである。
【図５】本発明の他の実施例としてコントローラによる体調検出動作を示すフローチャートである。
【図６】本発明の他の実施例を示すブロック図である。
【図７】図６の装置中のコントローラによる体調検出動作を示すフローチャートである。
【図８】本発明の他の実施例を示すブロック図である。
【図９】図８の装置中のコントローラによる体調検出動作を示すフローチャートである。
【符号の説明】
【００２８】
１  アラーム発生部
２，１１〜１３  アラーム停止スイッチ
３  アラーム時刻設定部
４  データ記憶部
６  コントローラ
【図１】
2005177306.tif 000003
【図２】
2005177306.tif 000004
【図３】
2005177306.tif 000005
【図４】
2005177306.tif 000006
【図５】
2005177306.tif 000007
【図６】
2005177306.tif 000008
【図７】
2005177306.tif 000009
【図８】
2005177306.tif 000010
【図９】
2005177306.tif 000011